(57)【要約】【課題】耐震性能を向上するための室内用耐力壁について、リフォームによる後付での設置や撤去が可能であり、かつ、設置後においても良好な開放感を得ることが可能な、新規な室内用耐力壁について提案する。【解決手段】左右の柱３・３と、上側の天井仕上げ材７と、下側の床仕上げ材８にて囲まれる空間内に、厚み方向に貫通部２１を有する面材２が配置され、面材２の左右端部は、それぞれ柱３・３の見付面３ａ，３ａに固定され、面材２が大壁納まりの態様で納められる、室内用耐力壁１Ａの構造とする。【選択図】図１
2013185380.tif 000002
【特許請求の範囲】
【請求項１】
天井仕上げ材と、床仕上げ材の間に、厚み方向に貫通部を有する面材が配置され、
前記面材の左右端部は、
それぞれ前記柱の見付面に固定され、前記面材が大壁納まりの態様で納められ、
前記各柱は、上部が前記天井仕上げ材の上方の横架材に固定され、下部が前記床仕上げ材の下方の横架材に固定される、室内用耐力壁の構造。
【請求項２】
前記面材は、透過性を有する面材を備えるサッシの室内側に設けられる、
ことを特徴とする請求項１に記載の室内用耐力壁の構造。
【請求項３】
前記面材は、室内に配置される柱に対して固定されるものであって、室内空間を間仕切る構成とする、
ことを特徴とする請求項１又は請求項２に記載の室内用耐力壁の構造。
【請求項４】
前記面材の上下端部には、それぞれ、補強材が付設される、
ことを特徴とする請求項１乃至請求項３のいずれか一項に記載の室内用耐力壁の構造。
【請求項５】
前記面材は、厚さ１．０ｍｍ以上、５．０ｍｍ以下の金属製とする、
ことを特徴とする請求項１乃至請求項４のいずれか一項に記載の室内用耐力壁の構造。
【請求項６】
前記面材は、複数の分割面材を並べて配置することで構成される、
ことを特徴とする請求項１乃至請求項５のいずれか一項に記載の室内用耐力壁の構造。
【請求項７】
前記各分割面材は、各分割面材の境界部分において中間部補強材を介して連結される、
ことを特徴とする請求項６に記載の室内用耐力壁の構造。
【請求項８】
少なくとも一つの室内壁が真壁納まりの態様で前記柱に対して納められることで入隅部が構成されている箇所において、
前記室内用耐力壁は入隅用留付金具を介して前記柱の見付面に対して固定され、
前記入隅用留付金具は、柱の直交する二つの見付面の間に形成される角部と対向する柱対向面部を有し、
前記柱対向面部はビスを介して前記角部に留め付けられ、
前記ビスは角部に対し水平断面において見付面に対して斜め方向から捻じ込まれる、
ことを特徴とする請求項１乃至請求項７のいずれか一項に記載の室内用耐力壁の構造。
【発明の詳細な説明】
【技術分野】
【０００１】
本発明は、建物の室内に配置する室内用耐力壁に関する。
【背景技術】
【０００２】
従来、耐力壁の設置による建物耐震性能の向上の取り組みがなされており、特許文献１、２では、耐力を発揮させる面材について、厚み方向に貫通する孔を有するものを使用する耐力壁パネルを用いる構造について開示がされている。
【０００３】
このような耐力壁パネルの場合、特許文献１のように、耐力壁パネルの上下が直接的に梁や土台に留めつけられる、若しくは、特許文献２のように、耐力壁パネルを取り囲むフレーム材が梁や土台に留めつけられる構成となっている。
【０００４】
他方、図９、及び、図１０は、住宅の間取りと室内イメージについて示すものであり、外周部耐力壁９１や、室内側耐力壁９２・９２を配置することによれば、耐震性能の向上が図られることになる。
【先行技術文献】
【特許文献】
【０００５】
【特許文献１】実用新案登録第３１２６１１６号明細書
【特許文献２】特許第３６８９６５０号明細書
【発明の概要】
【発明が解決しようとする課題】
【０００６】
しかし、上述したように、耐震性能を発揮させる面材が直接、若しくは、フレーム材を介して梁や土台に固定される形態では、新築時における施工において、面材やフレーム材を天井や床の施工前に設置することが必要となり、施工手順の自由度が制限されるものであった。
【０００７】
また、間取り変更時や改装時において、室内に配置される耐力壁を除去、移設、或いは、追加的に新設する場合においては、耐震性能を発揮させる面材を梁や土台に固定する必要があるため、面材の幅に対応する広い範囲において天井や床を剥がす必要が生じることから、大掛かりな作業が発生するとともに、コストが嵩んでしまうことになる。
【０００８】
また、柱や梁、土台の内側部、軸間内（真壁納まり）に耐力壁を配置しようとした場合では、階高と各場所の梁成（梁の高さ）によって、寸法がばらばらになるため、都度現場で場所ごとの寸法調整が必要で、現場加工が面倒な面材では手間がかかるとともに、製品化する場合に寸法の規格化、集約化が図りにくい。
【０００９】
さらに、図１０のイメージからもわかるように、従来の外周部耐力壁９１や、室内側耐力壁９２・９２は閉じた壁面９１ａ、壁面９２ａを形成するため、閉塞感が高いという課題があった。特に、室内側耐力壁９２を後付で設置する場合には、室内の閉塞感が増してしまうことになり、耐震性能の向上と引き換えに、開放的な空間を犠牲にしなければならないという課題があった。
【００１０】
また、他の課題として、耐力壁を設置する場合、耐力性能を確保するために、柱（例えば木製９０ｍｍ角の柱）に対して耐力壁の側部を留め付けることになるが、いわゆる真壁納まりの形態で耐力壁を設置する場合には、耐力壁と柱の間に連結材を介装することにより、耐力壁を柱の見込面に対して固定できるものとなる。
【００１１】
一方で、いわゆる大壁納まりの形態で耐力壁を設置する場合には、耐力壁を柱の見付面に対して直接止めつけることが考えられ、施工も容易に行えるという利点がある。例えば、既存の室内壁が真壁納まりにて存在する場合においては、柱の見付面が室内壁によって隠されていないため、室内壁をそのまま残すとともに、隣り合う柱間に耐力壁を設置するということも可能となる。このような耐力壁の設置は、その施工の容易性から、リフォームなどにおいて後付で耐力壁を設置する場合には、特に好ましい形態となるものと考えられる。
【００１２】
しかしながら、例えば、図１１のように、真壁９６が存在する入隅部９３を構成する部位において、柱９４の見付面９４ａに対して面材９５（耐力壁）を留め付ける場合のように、見付面９４ａが真壁９６によって隠されていることにより、見付面９４ａにおいて面材９５との重なり代９７を大きく確保できない状況が生じる場合がある。
【００１３】
このような場合において、留め具９８により見付面９４ａに面材９５を留めつけてしまうと、柱９４の材端に留め具９８が差し込まれることにより、柱９４の材割れが生じてしまうことが懸念される。
【００１４】
そこで、本発明は以上の問題に鑑み、耐震性能を向上させるための室内用耐力壁について、リフォームによる後付での設置や撤去が可能であり、かつ、設置後においても良好な開放感を得ることが可能な、新規な室内用耐力壁について提案する。
【課題を解決するための手段】
【００１５】
本発明の解決しようとする課題は以上の如くであり、次にこの課題を解決するための手段を説明する。
【００１６】
即ち、請求項１に記載のごとく、
天井仕上げ材と、床仕上げ材の間に、厚み方向に貫通部を有する面材が配置され、前記面材の左右端部は、それぞれ柱の見付面に固定され、面材が大壁納まりの態様で納められ、前記各柱は、上部が前記天井仕上げ材の上方の横架材に固定され、下部が前記床仕上げ材の下方の横架材に固定される、室内用耐力壁の構造とするものである。
【００１７】
また、請求項２に記載のごとく、
前記面材は、透過性を有する面材を備えるサッシの室内側に設けられる、こととするものである。
【００１８】
また、請求項３に記載のごとく、
前記面材は、室内に配置される柱に対して固定されるものであって、室内空間を間仕切る構成とするものである。
【００１９】
また、請求項４に記載のごとく、
前記面材の上下端部には、それぞれ、補強材が付設される、こととするものである。
【００２０】
また、請求項５に記載のごとく、
前記面材は、厚さ１．０ｍｍ以上、５．０ｍｍ以下の金属製とする、こととするものである。
【００２１】
また、請求項６に記載のごとく、
前記面材は、複数の分割面材を並べて配置することで構成されることとするものである。
【００２２】
また、請求項７に記載のごとく、
前記各分割面材は、各分割面材の境界部分において中間部補強材を介して連結されることとするものである。
【００２３】
また、請求項８に記載のごとく、
少なくとも一つの室内壁が真壁納まりの態様で柱に対して納められることで入隅部が構成されている箇所において、室内用耐力壁は入隅用留付金具を介して柱の見付面に対して固定され、入隅用留付金具は、柱の直交する二つの見付面の間に形成される角部と対向する柱対向面部を有し、柱対向面部はビスを介して角部に留め付けられ、ビスは角部に対し水平断面において見付面に対して斜め方向から捻じ込まれる、こととする。
【発明の効果】
【００２４】
本発明の効果として、以下に示すような効果を奏する。
【００２５】
即ち、請求項１に記載の発明においては、
耐震性能を向上するための室内用耐力壁について、リフォームによる後付での設置や撤去が可能であり、かつ、設置後においても、貫通部の存在によって採光・通風といった良好な開放感を得ることが可能となる。室内用耐力壁を大壁納まりとすることによって、既存の真壁納まりの室内壁が存在する箇所において、室内壁に対向させるようにして室内用耐力壁を容易に設置することが可能となる。
【００２６】
また、請求項２に記載の発明においては、
サッシが配置される箇所において室内用耐力壁が発揮する耐力によって、耐力壁の配置や偏心対策としての耐震性能を確保することが可能となって、いわゆる「全面開口」を実現することも可能となる。また、既存の「全面開口」などを有する建物について、既存サッシの移動、交換等は不要でそのまま残すことが可能となり、後付で室内用耐力壁を設置した場合においても、良好な開放感を維持しつつ、耐震性能の向上を図ることが可能となる。
【００２７】
また、請求項３に記載の発明においては、
間仕切られる空間の間での採光・通風が可能となるととともに、隣の空間が見えることとなって、閉塞感が感じられることを抑えることができる。
【００２８】
また、請求項４に記載の発明においては、
補強材が面材の面外座屈を抑制し、面材を補強することが可能となって、室内用耐力壁にて発揮される耐震性能の向上を図ることができる。また、補強材を上下端部に配置することで、貫通部を避けるようにして補強材を配置することが可能となって、貫通部により得られる開放感の阻害を避けることが可能となる。
【００２９】
また、請求項５に記載の発明においては、
柱と比較して厚さの薄い面材を採用することにより、面材の重量も軽く施工性がよく、輸送、ストック面でも有利である。また、低コストにて実施することが可能となる。また、金属製とすることにより、木材やプラスチックなどと違って、建築基準法上の内装制限にかかる部分でも安心して使用できることが可能となる。
【００３０】
また、請求項６に記載の発明においては、
各分割面材の寸法を、一枚の面材と比較してコンパクトに構成することが可能となって、運搬性に優れ、トラック等での搬送が不要となる。また、現場搬入後のストックスペースも小さくてすみ、取付・輸送時等の撓みが発生し難い構成とすることが可能となる。
【００３１】
また、請求項７に記載の発明においては、
中間部補強材により、２枚の面材が一体化して耐力を発揮する構造となり、面外座屈も抑制し、室内用耐力壁にて発揮される耐震性能の向上を図ることができる。
【００３２】
また、請求項８に記載の発明においては、
ビスの軸心と見付面の間に十分な厚みを確保することができ、柱の材割れの発生を抑えることができる。
【図面の簡単な説明】
【００３３】
【図１】室内用耐力壁を設置した室内の例について示す図。
【図２】室内用耐力壁を設置した間取りの例について示す平面図。
【図３】設置された室内用耐力壁の正面図。
【図４】図３のＡ−Ａ線断面図。
【図５】（Ａ）は、柱への面材の固定について示す水平断面図。（Ｂ）は、柱への面材の固定について示す側面断面図。
【図６】（ａ）は、面材の垂直断面図。（ｂ）は、面材に板状の補強材を設ける例について示す図。（ｃ）は、面材に略コ字状の補強材を設ける例について示す図。（ｄ）は、面材に略Ｌ字状の補強材を設ける例について示す図。（ｅ）は、二つの面材を補強材にて連結する例について示す図。
【図７】（Ａ）は、真壁納まりの室内壁が存在する場合における室内用耐力壁の設置例について示す水平断面図。（Ｂ）は、入隅部における入隅用留付金具を用いた固定の形態について示す水平断面図。
【図８】（Ａ）は、本発明の代表的な実施例である室内用耐力壁の大壁納まりの態様について示す正面図。（Ｂ）は、二つの分割面材にて室内用耐力壁を構成する例について示す正面図。
【図９】従来の建物の間取りの例について説明する図。
【図１０】従来の建物の室内の例について説明する図。
【図１１】入隅部における耐力壁の納まりにおける課題について示す図。
【発明を実施するための形態】
【００３４】
図１及び図２は、本発明に係る室内用耐力壁１Ａ・１Ｂを設置した例について示すものである。
室内用耐力壁１Ａは、室内外を仕切るサッシ５（図２）の室内側に配置される。また、室内用耐力壁１Ｂは、室内空間の間仕切りを行う箇所に配置される。また、室内用耐力壁１Ａ・１Ｂは、厚み方向に複数の貫通部２１・２１が形設された面材２を有する構成としている。また、面材２の横幅方向の両端は、耐震性能に影響する構造躯体として機能する柱３・３など対して固定されるようになっている。
【００３５】
以上の構成により、図１に示される室内用耐力壁１Ａ・１Ｂを設置することにより、面材２の発揮する耐力によって耐震性能を得ることが可能となる。図１及び図２の例のように、室外に近い窓際１１に室内用耐力壁１Ａを設置することによれば、この窓際１１において耐震性能を確保できるため、この箇所に従来のような外壁を設置する代わりに、サッシ５、及び、その室内側に室内用耐力壁１Ａを配置する形態を採用することが可能となる。これにより、図２の例においては、窓際１１において、サッシ５・６によって、いわゆる「全面開口」を実現することが可能となる。
【００３６】
また、図１に示すごとく、室内用耐力壁１Ａ・１Ｂを設置した場合においても、面材２に形設される貫通部２１・２１によって、通風と採光が確保でき、良好な開放感を得ることが可能となる。具体的には、室内用耐力壁１Ａについては、サッシ５を透過する光を、室内側に取り込めるとともに、室内から室外の景色が見えることとなって、良好な開放感を確保できる。また、室内用耐力壁１Ｂについては、間仕切られる空間の間での通風が可能となるととともに、隣の空間が見えることとなって、閉塞感が感じられることを抑えることができる。
【００３７】
次に、室内用耐力壁の実施形態について詳細に説明する。
図３に示すごとく、室内用耐力壁１Ａは、左右の柱３・３と、上側の天井仕上げ材７と、下側の床仕上げ材８にて囲まれる空間内に、面材２を配置することで構成される。面材２の幅方向の左右の端部は、それぞれ柱３・３の見付面３ａ，３ａに対して固定される一方で、面材２の高さ方向の上下の端部は、天井仕上げ材７の上方に配置される梁１２や、床仕上げ材８の下方に配置される土台１３に対しては固定されない構成としている。また、面材２の上下の端部は、天井仕上げ材７や床仕上げ材８に対しても固定されない構成としている。
【００３８】
また、図４に示すごとく、左右の柱３・３の間には、ガラス面５１を備えるサッシ５が設けられる。本実施形態では、サッシ５の縦枠５２・５２は、柱３の見込み方向において室外側の約半分の位置まで嵌め込まれるようにして固定されており、ガラス面５１が柱よりも室外側に配置されることで、サッシ５が半外付サッシとして構成されている。そして、サッシ５の室内側に、室内用耐力壁１Ａが設置される。
【００３９】
また、図４及び図５（Ａ）（Ｂ）に示すごとく、室内用耐力壁１Ａの面材２の左右の端部は、その一側面（裏面２ｂ）が、それぞれ、木製の柱３の見付面３ａ，３ａに固定され、これにより、室内用耐力壁１Ａが大壁収まりの態様で設置される。
【００４０】
より詳しくは、図５（Ａ）（Ｂ）に示すごとく、面材２の左右の端部の裏面２ｂを木製の柱３の見付面３ａに対向して配置させて、面材２の裏面２ｂと柱３の見付面３ａの間において、幅Ｗの重なり代を確保した状態とする。
【００４１】
面材２の左右の端部には、上下方向に所定の間隔で複数の貫通孔２ａ，２ａが形設されており、ビス４１，４１を貫通孔２ａ，２ａを通じて柱３に捻じ込むことにより、面材２が柱３に対して留め付けられる。
【００４２】
そして、以上のように、面材２の幅方向の左右の端部の裏面２ｂを柱３の見付面３ａに固定する形態とすることで、大壁納まりの態様で、柱３に対して面材２を固定することができる。また、面材２の留め付けは、ビス４１，４１のねじ込みによる簡易なものであるため、留め付け作業を容易に完了できる。
【００４３】
また、図４及び図５（Ａ）（Ｂ）の例では、面材２の裏面２ｂを柱３の見付面３ａに直接当接させることとしたが、例えば、面材２と見付面３ａの重なり幅と同等幅を有する板状のスペーサ部材を、面材２と柱３の間に介装することで、面材２の見込方向の位置調整を実施することとしてもよい。
【００４４】
また、図４及び図５（Ａ）（Ｂ）に示す実施形態では、木製の柱３への面材２の固定の例をもって説明をしているが、柱３については木製のものに限られず、鋼製の角管やパイプ、アングル材等、木製の柱同等の曲げ剛性など耐力を有するものであればよく、サイズも曲げ剛性などの性能があれば、通常の木製の１０５ｍｍ角以下のものでもよい。これら通常の木製の構造上の柱とは異なる別のものを設ける場合は、面材と固定できることはもちろん、梁や土台の横架材にしっかりと緊結、固定するなど水平力を伝達できるものである必要がある。このように、柱の形態については、面材が固定可能であり、梁や土台といった横架材に対して固定可能であって、横架材に水平力を伝達できる構造であれば、特に限定されるものではない。
【００４５】
また、図３に示すごとく、室内用耐力壁１Ａを構成する面材２には、厚み方向に複数の貫通部２１・２１が形成されており、この貫通部２１・２１によって、面材２の裏表の間での通風や光の通過が可能となっている。この貫通部２１・２１は、意匠性や、詳しくは後述する一定の壁強さ倍率を満たすように、適宜選定されるものである。本実施形態では、面材２の仕様を、厚さ２ｍｍ、幅９０８ｍｍ、高さ２２７０ｍｍとするものにおいて、４５ｍｍ角の正方形の貫通部を、９０ｍｍピッチ（隣り合う貫通部の上下・左右距離が４５ｍｍ）にて、垂直方向、水平方向に規則的に配置する構成としている。なお、貫通部２１はプレス加工などにより打ち抜かれることが考えられ、図３に示す面材２の形態は、一般に、パンチングメタルと称されるものである。また、実施形状については面材のサイズ、孔形状、孔ピッチはこれに規定されるものではない。特に、孔形状は、今回の実施例とほぼ同じ開口率であれば地震時に同様の座屈性状となることが想定でき、同様の耐力となるのも想定できる。
【００４６】
このような図３の実施形態において、面材２の素材については、例えば、アルミなどの金属製の板材や、スチール製の板材、ステンレス製の板材、などを採用することができる。この面材２については、後述する壁強さ倍率を発揮すること、脆性破壊が発生し難いもの、不燃、準不燃、難燃等の防火・耐火上の配慮が可能なもの、内装材としての使用制限がないもの、などの機能や特性を有することが要求されるものであり、前述の各種の板材の使用することが想定される。
【００４７】
また、図３の実施形態において、面材２の厚みについては、例えば、１．６ｍｍのものを使用することができるが、所望の耐震性能を確保できるものであれば、特に限定されるものではない。このため、面材２の厚みについては、特に限定するものではないが、１．５ｍｍ以上が望ましく、１．０ｍｍでも多少の耐力低下はあったとしても耐震性向上につながるものと想定できる。上限厚については、面材は厚ければ厚いほど座屈等が抑制され、耐力が高くでるため、耐力上は規定するものではないが、重さによる施工性の問題や、厚さによる製造上の孔空けの難易度、サッシ部等に用いた場合の納まり上の問題や、コスト等を考えると５．０ｍｍ以下が望ましい。
【００４８】
また、図４に示すごとく、この面材２の厚みに関し、例えば、１．６ｍｍと設定することによれば、柱３の見込み幅３４（見込み方向の寸法）と比較して薄く構成されるため、この柱３の見付面３ａからの出っ張りも少なく抑えることが可能となり、室内壁１４に対して出っ張ることなく面材２を納めることができる。
【００４９】
また、図３の実施形態において、面材２に形設される貫通部２１の形状や配置についても、上述した意匠性や機能を発揮できるものであれば特に限定されるものではない。また、複数ある貫通部２１の一部、或いは、全部について、投光性や他の機能を有する部材などで遮蔽することで、面材２において投光性を保ちつつ遮熱性を確保するなどとしてもよい。また、面材２の一側面、若しくは、両面に、板状の部材などを貼設し、まとまった範囲において貫通部２１を遮蔽することとしてもよい。
【００５０】
また、図３の実施形態において、貫通部２１にブラケットを差し込むとともに、その上に棚板を設置することなどによれば、簡易の棚を構成することも可能である。また、貫通部２１に単純にハンガーを引っ掛けるなど、貫通部２１を係止部として利用することも可能である。
【００５１】
また、図６（ａ）に示すごとく、面材２は一枚の板状とするものであるが、図６（ｂ）に示すごとく、この面材２の一部である上下端部２ｄ・２ｅの一側面において、それぞれ、補強材２ｆ・２ｇが付設されることとしてもよい。このように、面材２の一部の箇所において板状の補強材２ｆ・２ｇを付設することによって、面材２を補強することが可能となって、室内用耐力壁にて発揮される耐震性能の向上を図ることができる。また、補強材２ｆ・２ｇを上下端部２ｄ・２ｅに配置することで、貫通部２１を避けるようにして補強材２ｆ・２ｇを配置することが可能となって、貫通部２１により得られる開放感の阻害を避けることが可能となる。
【００５２】
また、図６（ｂ）に示すごとく、この補強材２ｆ・２ｇは、例えば、厚さ４ｍｍ、縦幅３０ｍｍ（図において上下方向の幅）、横幅９０８ｍｍ（図において見込み方向の幅）の板材であって、面材２と同一素材のものを採用することができる。また、図６（ｃ）のように、面材２の上下端部２ｄ・２ｅの両面及び端面を覆うように、略コ字状の断面を有する補強材２ｊ・２ｋを付設する形態としてもよい。なお、これらの補強材は、面材２に対して接着剤やボルトなどにより固定することができる。
【００５３】
さらに、図６（ｄ）に示す補強材２ｍ・２ｎのように、縦面と水平面を有する断面略Ｌ字状に構成することとしてもよい。また、図６（ｅ）に示すごとく、複数の分割面材２０Ａ・２０Ｂを配列して室内用耐力壁１Ａを形成する場合には、分割面材２０Ａ・２０Ｂの境界部に中間補強材２ｐを設けることとしてもよい。この中間補強材２ｐは、図６（ｅ）のように、両分割面材２０Ａ・２０Ｂを跨ぐように設けて両分割面材２０Ａ・２０Ｂを連結することとしてもよいし、各分割面材２０Ａ・２０Ｂの端部のいずれか一方、若しくは、両方にそれぞれ設けることとしてもよい。
【００５４】
さらに、大壁納まりの態様で室内用耐力壁１Ｂを設置する形態によれば、図７（Ａ）の右側の柱３部分に示されるように、既存の真壁納まりで設置される室内壁Ｋ１に対向させるようにして室内用耐力壁１Ｂを追加的に設置することも可能である。真壁納まりであるため、柱３の見付面３ａが現れているため、この見付面３ａと面材２の間に十分な幅Ｗの重なり代が確保でき、室内用耐力壁１Ｂを後付で容易に設置することができる。
【００５５】
一方で、図７（Ａ）の柱側の柱３においては、室内壁Ｋ１，Ｋ２により入隅部３０が形成されているため、見付面３ａと面材２の間に十分な重なり代が確保できないこととなる。このため、図７（Ｂ）に示すごとく、入隅部３０においては、入隅用留付金具３１を介して面材２が柱３に固定される。
【００５６】
入隅用留付金具３１は、本実施例では、長尺の板金部材にて構成され、柱３の直交する二つの見付面３ａ，３ｂの間に形成される角部３ｍと対向し、見付面３ａ，３ｂに対してそれぞれ略４５度の角度を構成する柱対向面部３２と、柱対向面部３２の両端部からそれぞれ室内壁Ｋ１，Ｋ２に向けて伸びる側面部３３，３４と、側面部３３，３４の端部から室内壁Ｋ１，Ｋ２と平行に伸びる壁対向面部３５，３６と、一方の壁対向面部３５から一方の室内壁Ｋ１から離れるように立ち上がる立上り部３７と、立上り部３７の端部から一方の室内壁Ｋ１と平行に伸びる面材固定部３８と、を有して構成される。
【００５７】
入隅用留付金具３１の柱対向面部３２には、上下方向において複数箇所に貫通孔３２ｋが形設されており、貫通孔３２ｋを通じてビス４２を柱３の角部３ｍに捻じ込むことにより、入隅用留付金具３１が柱３に対して留め付けられるようになっている。
【００５８】
この際、柱対向面部３２は見付面３ａ，３ｂに対して略４５度の角度で配置されるため、柱３の角部３ｍから略４５度をなすようにビス４２が柱３に対して捻じ込まれる。なお、ここでいう「略４５度」とは、水平断面視における見付面３ａ，３ｂに対するビス４２の軸心４２ｃの角度をいうものである。
【００５９】
側面部３３，３４や壁対向面部３５の幅寸法により、柱３の角部３ｍから柱対向面部３２までの距離を設定することができ、幅寸法については、室内壁Ｋ１，Ｋ２によって隠されずに現れている見付面３ａ，３ｂの幅寸法ｗ１，ｗ２に応じて設定されることが好ましい。また、幅寸法が異なる数種類の入隅用留付金具３１を用意しておき、施工現場の状況（幅寸法ｗ１，ｗ２）に応じて、最適なものを使用することとしてもよい。
【００６０】
壁対向面部３５は、室内壁Ｋ２、及び、柱３の見付面３ｂに対して当接されるように設置されることで、柱３に対する入隅用留付金具３１の位置決めとしての機能も呈することとなっている。
【００６１】
壁対向面部３５は、柱３側に向かうように設けられることで、柱対向面部３２によって壁対向面部３５を隠すように納めることができ、意匠上の美観が確保される。また、柱対向面部３２、側面部３３，３４によって、ビス４２が捻じ込まれる柱３の角部３ｍを覆い隠すことができ、意匠上の美観が確保される。
【００６２】
もう一方の壁対向面部３６は、室内壁Ｋ１に対して当接されるように設置されることで、柱３に対する入隅用留付金具３１の位置決めとしての機能を呈することができる。
【００６３】
面材固定部３８には、面材２の幅方向の端部２ｍが固定用ビス４３にて留め付けられる。
【００６４】
立上り部３７の幅寸法は、固定用ビス４３の長さなどに応じて適宜設定されるが、例えば、側面部３３の幅寸法と同一に設定し、柱対向面部３２と側面部３３の折れ曲がり部３９と、面材固定部３８の室内壁Ｋ１からの位置を略同一に設定することが考えられる。
【００６５】
そして、以上のように柱３の角部３ｍにおいて、斜め方向にビス４２が捻じ込まれることによれば、ビス４２の軸心４２ｃと見付面３ａ，３ｂの間に十分な厚みを確保することができ、柱３の材割れの発生を抑えることができる。なお、柱対向面部３２の角度に関し、実施形態としてはビス４２の角度が約４５度となるように留めつけられることが好ましいが、想定される範囲としては、一方の見付面３ａに対するビス４２の角度が３０度〜６０度の範囲であれば、ビス４２の軸心４２ｃと見付面３ａ，３ｂの間に十分な厚みを確保することができ、柱３の材割れの発生を抑えることができる。
【００６６】
また、入隅用留付金具３１によって柱３の角部３ｍを覆い隠すことができるため、入隅部において後付で室内用耐力壁１Ｂを設置した場合においても、意匠上の美観を確保することができる。
【００６７】
以上のようにして本発明を実施することができる。
即ち、図３及び図４に示すごとく、左右の柱３・３と、上側の天井仕上げ材７と、下側の床仕上げ材８にて囲まれる空間内に、厚み方向に貫通部２１を有する面材２が配置され、面材２の左右端部は、それぞれ柱３・３の見付面３ａ，３ａに固定され、面材２が大壁納まりの態様で納められる、室内用耐力壁１Ａの構造とするものである。
【００６８】
また、図３及び図４に示すごとく、天井仕上げ材７と、床仕上げ材８の間に、厚み方向に貫通部を有する面材２が配置され、面材２の左右端部は、それぞれ柱３・３に固定されるものであり、各柱３・３は、上部が天井仕上げ材７の上方の横架材としての梁１２に固定され、下部が床仕上げ材８の下方の横架材としての土台１３に固定される、室内用耐力壁１Ａの構造とするものである。
【００６９】
これにより、図１及び図２に示すごとく、耐震性能を向上するための室内用耐力壁１Ａ・１Ｂについて、天井や床面を剥がすことなくリフォームによる後付での設置や撤去が可能であり、かつ、設置後においても、貫通部２１の存在によって良好な開放感を得ることが可能となる。
【００７０】
また、図７（Ａ）に示されるように、室内用耐力壁１Ｂを大壁納まりとすることによって、既存の真壁納まりの室内壁Ｋ１が存在する箇所において、室内壁Ｋ１に対向させるようにして室内用耐力壁１Ｂを容易に設置することが可能となる。
【００７１】
また、図３及び図４に示すごとく、面材２は、ガラス面５１などの透過性を有する面材を備えるサッシ５の室内側に設けられる、こととするものである。
【００７２】
これにより、図１及び図２に示すごとく、サッシ５が配置される箇所において室内用耐力壁１Ａが発揮する耐力によって、耐震性能を確保することが可能となって、いわゆる「全面開口」を実現することも可能となる。また、既存の「全面開口」などを有する建物について後付で室内用耐力壁１Ａを設置した場合においても、良好な開放感を維持しつつ、耐震性能の向上を図ることが可能となる。
【００７３】
また、図１及び図２に示すごとく、面材２は、室内に配置される柱３・３に対して固定されるものであって、室内空間を間仕切る構成とするものである。
【００７４】
これにより、図１及び図２に示すごとく、間仕切られる空間の間での通風が可能となるととともに、隣の空間が見えることとなって、閉塞感が感じられることを抑えることができる。
【００７５】
また、図６（ｂ）乃至（ｄ）に示すごとく、面材２の上下端部２ｄ・２ｅには、それぞれ、補強材２ｆ・２ｇが付設される、こととするものである。
【００７６】
これにより、補強材２ｆ・２ｇが発揮する耐力によって面材２を補強することが可能となって、室内用耐力壁にて発揮される耐震性能の向上を図ることができる。また、補強材２ｆ・２ｇを上下端部２ｄ・２ｅに配置することで、貫通部２１を避けるようにして補強材２ｆ・２ｇを配置することが可能となって、貫通部２１により得られる開放感の阻害を避けることが可能となる。
【００７７】
また、図４に示すごとく、面材は、厚さ１．０ｍｍ以上、５．０ｍｍ以下の金属製とする。
【００７８】
このように、柱と比較して厚さの薄い面材を採用することにより、面材の重量も軽く、また、低コストにて実施することが可能となる。また、金属製とすることにより、ガラスなどのような脆性破壊が発生し難く、木材やプラスチックなどと違って、建築基準法上の内装制限にかかる部分でも安心して使用できることが可能となる。
【００７９】
また、図８（Ａ）に示すごとく、面材２は一枚の面材にて構成するほか、図８（Ｂ）に示すごとく、複数の分割面材７０・７１（図の例では２枚）を並べて配置することで構成されることとするものである。
【００８０】
この構成によれば、各分割面材７０・７１の寸法を、一枚の面材と比較してコンパクトに構成することが可能となって、運搬性に優れ、また、撓みが発生し難い構成とすることが可能となる。なお、図８（Ｂ）のように、上下に二つの分割面材７０・７１を並べる構成とするほか、床から天井までの寸法などに応じて、三つの分割面材を上下方向に並べる等の形態も考えられる。
【００８１】
また、図８（Ｂ）に示すごとく、各分割面材７０・７１は、各分割面材の境界部分において中間部補強材７２を介して連結されることとするものである。
【００８２】
これによれば、中間部補強材７２が発揮する耐力によって、室内用耐力壁にて発揮される耐震性能の向上を図ることができる。
【００８３】
さらに、図７（Ａ）（Ｂ）に示すごとく、少なくとも一つの室内壁Ｋ１，Ｋ２が真壁納まりの態様で柱３に対して納められることで入隅部３０が構成されている箇所において、室内用耐力壁１Ｂは入隅用留付金具３１を介して柱３の見付面３ａに対して固定され、入隅用留付金具３１は、柱３の直交する二つの見付面３ａ，３ｂの間に形成される角部３ｍと対向する柱対向面部３２を有し、柱対向面部３２はビス４２を介して角部３ｍに留め付けられ、ビス４２は角部３ｍに対し水平断面において見付面３ａ，３ｂに対して斜め方向から捻じ込まれる、こととする。
【００８４】
この構成によれば、ビス４２の軸心４２ｃと見付面３ａ，３ｂの間に十分な厚みを確保することができ、柱３の材割れの発生を抑えることができる。
【産業上の利用可能性】
【００８５】
本発明の構成は、新築時において、耐震性能を確保するために適用できるほか、既存の木造住宅のリフォームにより、耐震性能を向上させる場合についても適用することができる。
【符号の説明】
【００８６】
１Ａ    室内用耐力壁
１Ｂ    室内用耐力壁
２    面材
２ａ    貫通孔
２ｂ    裏面
３    柱
３ａ    見付面
３ｂ    見付面
３ｍ    角部
５    サッシ
７    天井仕上げ材
８    床仕上げ材
１２    梁
１３    土台
１４    室内壁
３０    入隅部
３１    入隅用留付金具
３２    柱対向面部
３２ｋ    貫通孔
３８    面材固定部
４２    ビス
４２ｃ    軸心
Ｋ１    室内壁
Ｋ２    室内壁
【図１】
2013185380.tif 000003
【図２】
2013185380.tif 000004
【図３】
2013185380.tif 000005
【図４】
2013185380.tif 000006
【図５】
2013185380.tif 000007
【図６】
2013185380.tif 000008
【図７】
2013185380.tif 000009
【図８】
2013185380.tif 000010
【図９】
2013185380.tif 000011
【図１０】
2013185380.tif 000012
【図１１】
2013185380.tif 000013